(57)【要約】【課題】カラオケ店などの椅子に簡単に装着することにより部屋の高級感を高めると共に、汚れた椅子や破損した椅子も違和感なく使用し続けることが可能となる椅子カバーを提供する。【解決手段】椅子（１０）の背当部（１１）と当接する上方クッション部（１）と、座部（１２）と当接する下方クッション部（２）とが椅子（１０）への固定に用いるベルト部（３）に接続されている。上方クッション部（１）と下方クッション部（２）とはベルト部（３）を介して対向する位置に配されている。上方クッション部（１）の上端部と下方クッション部（２）の下端部には錘体（４）が収納されている。【選択図】    図１
2004357817.tif 000002
【特許請求の範囲】
【請求項１】
使用時に椅子の背当部と当接する上方クッション部と、使用時に椅子の座部と当接する下方クッション部とが椅子への固定に用いるベルト部に接続されており、
該上方クッション部と該下方クッション部とは該ベルト部を介して対向する位置に配されており、
該上方クッション部の上端部及び該下方クッション部の下端部には錘体が収納されている
ことを特徴とする椅子カバー。
【請求項２】
各クッション部は袋状に形成された表面材の内側にクッション材が収納されたものであり、該表面材は直接又は該クッション材を介して表裏が縫い合わされており、
縫い合わせの縫い目方向は少なくとも上下端部においては前記ベルトと略並行である
ことを特徴とする請求項１記載の椅子カバー。
【発明の詳細な説明】
【０００１】
【発明の属する技術分野】
本発明は、椅子に装着して用いる椅子カバーに関するものであり、特にカラオケ店や喫茶店などで使用されている椅子に装着するのに適した物に関する。
【０００２】
【従来の技術】
カラオケ店で用いられている椅子には１人掛けの椅子と、２人又は３人掛けの椅子がある。図２は一般的な１人掛けの椅子（ソファー）（１０）を示した図である。
【０００３】
（１１）は利用者が座った際に利用者の背中と接する背当部（バックレスト）であり、（１１ａ）は背当部（１１）の上端面ある。また、（１２）は椅子（１０）の座部であり、（１２ａ）は座部（１２）の前方端面である。背当部（１１）と座部（１２）は別の部材からなり、（１３）は両者の境目である。
【０００４】
椅子（１０）に貼られている表面材としては皮又はビニール，合成皮革が一般的であるが、表面材は使用しているうちに摩耗すると共に、こぼれたジュース，利用者の汗，タバコのヤニ等の汚れやが付着する。また、利用者の不注意や悪戯により裂けてしまうことやタバコの火によって焦げて穴が空いてしまうこともある。
【０００５】
椅子が破損すれば新しい椅子を購入して交換することが考えられるが、僅かな損傷が生ずる度に新しい椅子を購入するのは費用的な負担が大きい。
【０００６】
更に、廃棄した椅子は粗大ゴミとなり、資源の無駄やゴミ問題の原因となるばかりでなくゴミ回収費も必要となるため、頻繁に廃棄するのは好ましいことではない。
【０００７】
そこで、ガムテープや縫合により応急的に損傷した部分をカバーしておき、損傷が大きくなった際に部屋の椅子を全て新しい物に入れ替えるという手段がとられている。
【０００８】
しかしながらガムテープや縫合による応急処置は見映えが悪く、顧客も良い印象を抱かない。そして、顧客は清潔感のある店舗を好むため、そのような椅子に不潔感を抱き顧客が来なくなってしまうことも考えられる。
【０００９】
又、カラオケボックスのような複数の部屋を有している店舗では、部屋の模様替えや使用している椅子が破損した場合に他の部屋の椅子を持ってきて使用することがある。しかし、部屋の個性を出すために部屋毎に異なった色の椅子が使用されていることも多く、異なった色の椅子を使用するとその椅子だけ目立ってしまい部屋全体の統一感がなくなり高級感が著しく損なわれる。
【００１０】
統一感を維持するために、同じ椅子を購入しようとしても既に製造を中止していて入手できない場合もある。更に椅子の表面材は使用に伴って摩耗や紫外線などにより退色するため、同じ椅子を入手できたとしても光沢や色合いが異なり、違和感が生じることがある。
【００１１】
【特許文献１】
特開平１１−３０９０４９号公報。
【００１２】
【発明が解決しようとする課題】
そこで本発明は部屋の中で異なった色の椅子を使用しても違和感を生じさせにくく、又、椅子の表面材が少々破損していても見映えを損なうことなく使用し続けることが可能な椅子カバーを提供することを課題とする。
【００１３】
【課題を解決するための手段】
請求項１記載の椅子カバーは、使用時に椅子（１０）の背当部（１１）と当接する上方クッション部（１）と、使用時に椅子（１０）の座部（１２）と当接する下方クッション部（２）とが椅子（１０）への固定に用いるベルト部（３）に接続されており、該上方クッション部（１）と該下方クッション部（２）とは該ベルト部（３）を介して対向する位置に配されており、該上方クッション部（１）の上端部及び該下方クッション部（２）の下端部には錘体（４）が収納されていることを特徴とする。
【００１４】
これによれば、椅子カバーはベルト部（３）を椅子（１０）に巻き付けて締結することにより椅子に装着できる。ベルト（３）の上下にはクッション部（１），（２）が配されており、夫々椅子（１０）の背当部（１１）と座部（１２）を覆うことができる。これにより、椅子（１０）の背当部（１１）と座部（１２）が隠れてしまうので、椅子（１０）の色や傷，汚れ等が利用者の目に触れにくくなる。
【００１５】
上方のクッション部（１）の上端付近に設けられた錘体（４）はその重さにより上方のクッション部（１）の上端を固定するのに役立つ。又、下方のクッション部（２）の下端付近に設けられた錘体（４）はクッション部（２）を座部前面（１２ａ）付近で垂下させることにより利用者の足下に干渉するのを防止することに役立つ。
【００１６】
請求項２記載の椅子カバーは請求項１記載の椅子カバーにおいて、各クッション部（１），（２）は袋状に形成された表面材の内側にクッション材が収納されたものであり、該表面材は直接又は該クッション材を介して表裏が縫い合わされており、縫い合わせの縫い目方向は少なくとも上下端部においては前記ベルト（３）と略並行であることを特徴とする。
【００１７】
これによれば、クッション部（１），（２）の縫い目がベルト（３）と並行、つまり横方向に設けらているので、縦方向に曲げ易くなる。そのため、クッション部（１），（２）を椅子（１０）の形状に沿わせて曲げやすく、椅子カバーを椅子（１０）にフィットするように装着することが容易となる。
【００１８】
【発明の実施の形態】
以下、本発明を好適な実施例を用いて説明する。
【００１９】
［実施例１］
図１は本実施例の椅子カバーを示した図である。図中において（１）は使用時に椅子（１０）の背当部（１１）と接する上方のクッション部、（２）は使用時に椅子（１０）の座部（１２）と接する下方のクッション部であり、いずれも内部にクッション材が入っている。
【００２０】
クッション材の材質は特に限定されるものではなく、例えばスポンジ，綿，羽毛，ビーズ等が利用できるが、本実施例では圧縮して板状に成形された綿を使用した。
【００２１】
クッション部（１），（２）の表面材としては高級感のある合成皮革を用いた。表面材はニーズに応じて複数色用意しておくと良い。
【００２２】
本実施例では１つの椅子カバーに使用する表面材は全て同じ素材，同じ色としたが、要望が有れば表裏で別の色にすることや、上方のクッション部（１）と下方のクッション部（２）とを別の色にすることも可能である。
【００２３】
クッション部（１），（２）は所定間隔毎に表裏の表面材が縫い合わされており、クッション部（１），（２）の内部でクッション材が広範囲に移動してしまうことを防いでいる。縫い合わせについては必ずしも表裏の表面材が接触するように縫い合わされている必要はなく、クッション材を介して縫い合わされていても良い。（５）は縫い合わせた箇所の縫い目である。
【００２４】
上方のクッション部（１）と下方のクッション部（２）とは、大きさ，形状，クッション材の材質，クッション材の厚み等の構成が異なるようにしてもよいが、本実施例では制作の容易性，コストをも考慮して同じ構成とした。したがって、クッション部（１）とクッション部（２）は実質的に同じ物である。これにより上方のクッション部（１）と下方のクッション部（２）とを同じ物とすることにより、上下を気にせず装着できるというメリットも得られる。
【００２５】
クッション部（１）とクッション部（２）とは椅子（１０）に固定するためのベルト（３）に接続される。本実施例ではベルト（３）の中央付近に縫い付けて接続したが、クッション部（１）とクッション部（２）とはベルト（３）を介して対向するように配されている。
【００２６】
ベルト（３）は椅子（１０）の背部又は底部をまわしてベルト（３）の端部同士が結合するのに十分な長さを有している。ベルト同士の結合は単にその端部同士を結ぶようにしてもよいが、本実施例では各端部にコネクタ式の締結具（６ａ），（６ｂ）を取り付け、締結具同士を嵌め合わせて締結することによりベルト端部を固定できるようにした。締結具の種類は実施例のようなコネクタ式の締結具（６ａ），（６ｂ）に限定されず、他の部材、例えば面ファスナー，ボタン，磁石等を利用した締結具でも良い。
【００２７】
尚、装着する椅子（１０）のサイズに若干の差が有ることを考慮して、ベルト（３）の長さは長い目にしておき、調節金具又はバックル等の長さ調節部材（７）により長さを調節できるようにした。必要なら、ベルト自体に伸縮性を有する素材を採用することによりベルト長の調節ができるようにしても良い。
【００２８】
クッション部（１），（２）の縫い目（５）の方向は、ベルト（３）側及びベルト（３）と反対側の端部付近ではベルト（３）と並行な方向となっている。クッション部（１），（２）は縫い目に直交する方向に曲がりやすいので、縫い目（５）をベルト（３）と並行な方向、すなわち横方向に設けることにより縦方向に曲がりやすくなる。これによりクッション部（１），（２）を曲げて椅子の形状に沿わせることが容易となる。
【００２９】
クッション部（１），（２）の中央部分についてはクッション部（１），（２）を曲げる必要性が低いので縫い目の方向はあまり問題とならない。そこで、本実施例では意匠性も考慮してクッション部（１），（２）の中央部分については四角い縫い目（５ａ）とした。
【００３０】
各クッション部（１），（２）のベルト部と接続されている辺と反対側の端部には錘体（４）としての金属棒が表面材の内側に配されている。この錘体（４）は後述するように椅子カバーを椅子（１０）に安定して取り付けるために設けられている。
【００３１】
尚、錘体（４）としては金属棒に限定されるものではなく、ある程度の重量があれば他の部材、たとえば砂袋，木製棒，比重の大きなゴム材等でも良い。
【００３２】
椅子カバーはこのように簡単な構造であるので椅子（１０）に比べて安価に制作することができる。
【００３３】
使用に際しては上方のクッション部（１）が椅子（１０）の背当部（１１）と当接し、下方のクッション部（２）が座部（１２）に当接するように配し、両側のベルトを椅子（１０）の背部又は底部にまわして締結するだけでよい。
【００３４】
尚、本実施例ではクッション部（１）とクッション部（２）とが同じ構成となっているため、上下反対に取り付けても良い。更に、リバーシブルとして使用できるのでどちらの面を上にして取り付けても良い。
【００３５】
尚、ベルト（３）は椅子の背当部（１１）と座部（１２）との境目（１３）に差し入れておけば装着後に目立ちにくくなる。
【００３６】
図３は本実施例の椅子カバーをカラオケ店で使用されている平均的な大きさ（高さ７０ｃｍ、座面幅４５ｃｍ、座面奥行き４５センチ、座面高さ４０ｃｍ程度）の１人掛け椅子に装着した状態を示した図である。
【００３７】
椅子全体を包み込むような構成ではないので、椅子の大きさに少々の違いがあっても問題なく装着することができる。又、前述したようにクッション部（１），（２）の縫い目（５）方向はベルト（３）と並行な方向であるので、クッション部（１），（２）は椅子の形状に沿わせて容易に曲げることができる。
【００３８】
図４は椅子カバーの装着状態を模式的に示した図である。上方のクッション部（１）の上端は背当部（１１）の上端面（１１ａ）を越えて背面に至っている。そして端部に収納された錘体（４）の重みにより下方に引っ張られるため、上方のクッション部（１）が前方の座部（１２）側に倒れて来るのを防止することができる。
【００３９】
また、下方のクッション部（２）もその下端部に収納された錘体（４）の重みにより座部（１２）の前端面（１２ａ）に沿うように下方に垂れ下がる。そのためクッション部（２）の下端が浮き上がって利用者の足下に干渉することを防止することができる。
【００４０】
ベルト（３）は椅子（１０）の背部にまわしてコネクタ式の締結具（６ａ），（６ｂ）で締結したが、ベルト（３）の長さは長さ調節部材（７）で調整すればよい。
【００４１】
図５は背当部（１１）が高い椅子に本実施例の椅子カバーを装着した状態を模式的に示した図である。図４の場合と比較すると上方のクッション部（１）の上方端部が椅子の背面にまで至らず、背当部（１１）の上端面（１１ａ）の上に乗っていることが異なる。
【００４２】
この場合でも上方のクッション部（１）に備えられた錘体（４）の重みにより背当部（１１）の上端面（１１ａ）の上にしっかりと乗っているため、上方のクッション部（１）が前方の座部（１２）側に容易に倒れて来ることを防止することができる。
【００４３】
また、図４ではベルト（３）を椅子の背面にまわして固定するようにしたが、図５の場合は椅子の底部にまわして固定している。椅子の底部には脚部（１４）が備えられていることが多く、この脚部（１４）により椅子の底面と床面との間には隙間が形成されるのでベルト（３）を椅子の底部にまわしてもベルト（３）が床面と干渉することは無い。したがって、椅子の安定性が損なわれることもない。ベルト（３）を椅子の背面にまわすか底部にまわすかは部屋のレイアウト等を考慮して適宜決めれば良い。
【００４４】
尚、図５に示したような背当部（１１）が高い椅子の場合、更に安定して取り付けるために上方のクッション部（１）のサイズを大きくした椅子カバーを制作しても良い。
【００４５】
椅子カバーを装着すると椅子（１０）の背当部（１１）や座部（１２）は椅子カバーにより隠れてしまうので、椅子の色が異なる場合でも統一された色彩の椅子カバーを装着することにより部屋のイメージを向上させ、部屋をリフォームしたような効果が得られる。
【００４６】
又、椅子（１０）の背当部（１１）や座部（１２）が隠れ、椅子自体に破損や汚れがあっても利用者の目に触れることはないので、そのような椅子を廃棄せずに使用し続けることができて経済的である。
【００４７】
しかもクッション部（１），（２）によって椅子（１０）のクッション性が向上するため、安価な椅子であっても高級ソファーのような座り心地や高級感を演出することができる。
【００４８】
効果的な使い方としては各室で破損した椅子を１つの部屋に集め、それらに同じ色（又は同系色）の椅子カバーを装着することが考えられる。椅子の色や艶が異なっていても椅子カバーにより表面が覆われているため違和感なく使用することができる。
【００４９】
又、異なる色の椅子カバーに取り換えることにより、簡単に部屋のイメージを変えることができ、更に異なる２色の椅子カバーを交互に配するなどして部屋のイメージに変化を持たせることもできる。
【００５０】
クッション部（１），（２）の表面材は合成皮革としたので、汚れた場合にも濡れタオル等で拭き取ることができ、手入れは簡単である。
【００５１】
又、本発明の椅子カバーはリバーシブルであり裏返して使用することができるので、摩耗や傷等で表面材が汚れたり破損した場合にはカバーを表裏反対に装着し直せば、摩耗，破損等していない綺麗な面を表にして使用し続けることができる。
【００５２】
尚、椅子カバーの表面材が裂けてしまったような場合には裂け目が大きくならないようにテープ止め，縫合等で簡単に補修をしてから裏返して、破損していない綺麗な面が上になるように装着して使用するとよい。
【００５３】
このように本実施例の椅子カバーは両面使用できるために長期間にわたって使用することが可能となる。
【００５４】
表面材が両面とも汚れた場合には新しい椅子カバーと交換すればよいが、椅子（１０）自体の交換に比べれば安価で交換することができ、取り換え作業にも手間はかからない。不要となった椅子カバーは通常のゴミとして捨てることもできるので廃棄も容易である。
【００５５】
［実施例２］
実施例１は１人掛け用の椅子に装着する椅子カバーであったが、本実施例は３人掛け用の椅子に装着する椅子カバーの例である。図６は本実施例の椅子カバーを示した図である。
【００５６】
基本構成は実施例１と同様にして各クッション部を大きくすれば、大きさな椅子にも装着することができる。クッション部を大きくする手段としては専用に大きなクッション部を設計，制作することも考えられるが、本実施例では作りやすさ，コスト，バリエーション展開を考慮して実施例１で用いたクッション部（１），（２）を横方向に連結することにより大きなクッション部を作った。
【００５７】
図６に示した例は３人掛けであるが、連結する数を変更することにより２人掛けでも４人掛け以上でも対応することができる。
【００５８】
ベルト（３）の長さは椅子の大きさに合わせる必要があるので、実施例１の場合より長くなる。その他の構成は実施例１と同様である。
【００５９】
使用方法は実施例１と同様に既存の椅子に載せて、ベルト（３）で固定するだけでよく、複数人掛けの椅子においても実施例１と同様の効果を得ることができる。
【００６０】
尚、上記の各実施例ではカラオケ店での使用を例にとって説明したが、他の場所、例えば病院の待合室，家庭，喫茶店，事務所等で使用されている椅子に装着して用いても良い。
【００６１】
【発明の効果】
以上述べたように本発明の椅子カバーを用いれば部屋の高級感を高めることができると共に、異なった色の椅子を同じ部屋で使った際の違和感を解消させることができる。
【００６２】
しかも、汚れた椅子や破損した椅子を使用し続けることもできるので経済的であるだけでなく、資源保護やゴミ問題の解消にも寄与することができる。
【図面の簡単な説明】
【図１】実施例１の椅子カバーを示した図。
【図２】カラオケ店などで一般的に使用されている１人掛けの椅子（ソファー）を示した図。
【図３】椅子に実施例の椅子カバーを装着した状態を示した図。
【図４】椅子カバーの装着状態を模式的に示した図（その１）。
【図５】椅子カバーの装着状態を模式的に示した図（その２）。
【図６】実施例２の椅子カバーを示した図。
【符号の説明】
（１）    クッション部（上方）
（２）    クッション部（下方）
（３）    ベルト
（４）    錘体
（５）    縫い目
（６ａ），（６ｂ）  締結具
（７）    長さ調整具
（１０）  椅子（ソファー）
（１１）  椅子の背当部（バックサポート）
（１２）  椅子の座部
（１３）  背当部と座部との境目
（１４）  椅子の脚部
【図１】
2004357817.tif 000003
【図２】
2004357817.tif 000004
【図３】
2004357817.tif 000005
【図４】
2004357817.tif 000006
【図５】
2004357817.tif 000007
【図６】
2004357817.tif 000008